(57)【要約】【課題】カバリング糸を用いた３重構造の暖かいタイツを提供する。【解決手段】このタイツを構成する編地１００は、ポリウレタン弾性糸の芯糸に捲糸を巻着させたカバリング糸を用いてゾッキ編みした３層構造を備える。この３層構造として、表生地を構成する第１層目の編地１１０は、捲糸がナイロン糸のカバリング糸を用いてゾッキ編みで編成され、肌当接側である裏生地を構成する第３層目の編地は、捲糸がポリエステル糸のカバリング糸を用いてゾッキ編みで編成され、これらの第１層目の編地１１０と第３層目の編地１３０とはウレタン糸で連結されており、この連結層としての第２層１２０を備える。肌当接側である第３層目の編地１３０は、毛羽立たせる起毛加工が施され、多数の毛羽１３２を備えるスエード調である。【選択図】図２
2020133060.tif 000002
【特許請求の範囲】
【請求項１】
ポリウレタン弾性糸の芯糸に捲糸を巻着させたカバリング糸を用いてゾッキ編みしたタイツであって、
捲糸がナイロン糸のカバリング糸で編成した、表生地を構成する第１層目の編地と、
捲糸がポリエステル糸のカバリング糸で編成した、肌当接側である裏生地を構成する第３層目の編地と、
前記第１層目の編地と前記第３層目の編地とを連結するウレタン糸で構成される第２層とを少なくとも含む３層構造を備え、
肌当接側である第３層目の編地を毛羽立たせる加工を施したことを特徴とするタイツ。
【発明の詳細な説明】
【技術分野】
【０００１】
本発明は、下半身用衣類である、パンティストッキング型のタイツやレッグ部のみのタイツ（スパッツ等）に関し、特に、カバリング糸を用いた３重構造の暖かいタイツに関する。
【背景技術】
【０００２】
カバリング糸は伸縮性を有すること等から、ストッキングやタイツ等の編み糸として広く用いられている。
タイツは専ら冬季に着用され、保温性を重視したものとなっており、タイツにはアクリルのバルキー糸１００％のもの、カバリング糸とナイロンフィラメント加工糸との交編タイプのもの、または、カバリング糸１００％のいわゆるゾッキタイプのものがあり、形状としてはパンティストッキング型のものやレッグ部のみのものがある。本発明に係るタイツには、パンティストッキング型のみならず、パンティストッキング型のタイツの一部（足首より先の部分やパンティ部等）を欠落させた、スパッツ、レギンスおよびトレンカ等の呼び名を有する形状のものも含む。
【０００３】
このようなタイツに用いられるカバリング糸としては、ポリウレタン弾性糸を芯糸としてナイロンフィラメント加工糸を１重に被覆したＳＣＹ（シングル・カバード・ヤーン）または２重に被覆したＤＣＹ（ダブル・カバード・ヤーン）ものが、主に用いられている。
このように、芯糸をポリウレタン弾性糸として捲糸をナイロンフィラメント加工糸としたカバリング糸が、ストッキングやタイツ等の下半身用衣類の編み糸として広く用いられている。本願出願人が開発して出願した、カバリング糸を用いて着用したときの肌触りが良好なゾッキ編みタイツが、特開２０１３−１８５２６６号公報（特許文献１）に開示されている。この特許文献１に開示されたゾッキタイツは、ポリウレタン弾性糸の芯糸に捲糸を巻着させたカバリング糸を用いてゾッキ編みしたタイツであって、前記捲糸を天然繊維（綿糸）として、前記タイツの肌密着側の編地を毛羽立たせる加工を施したことを特徴とする。
【先行技術文献】
【特許文献】
【０００４】
【特許文献１】特開２０１３−１８５２６６号公報
【発明の概要】
【発明が解決しようとする課題】
【０００５】
上述した特許文献１に開示されたゾッキタイツは、着用したときの肌触りが良好な点で好評を得ているのであるが、寒い日には保温性が十分でない可能性があった。
本発明は、従来技術の上述の問題点に鑑みて開発されたものであり、その目的とするところは、カバリング糸を用いた３重構造の暖かいタイツを提供することを目的とする。
【課題を解決するための手段】
【０００６】
上記目的を達成するため、本発明のタイツは以下の技術的手段を講じている。
すなわち、本発明のタイツは、ポリウレタン弾性糸の芯糸に捲糸を巻着させたカバリング糸を用いてゾッキ編みしたタイツであって、捲糸がナイロン糸のカバリング糸で編成した、表生地を構成する第１層目の編地と、捲糸がポリエステル糸のカバリング糸で編成した、肌当接側である裏生地を構成する第３層目の編地と、前記第１層目の編地と前記第３層目の編地とを連結するウレタン糸で構成される第２層とを少なくとも含む３層構造を備え、肌当接側である第３層目の編地を毛羽立たせる加工を施したことを特徴とする。
【発明の効果】
【０００７】
本発明のタイツによれば、カバリング糸を用いた３重構造の暖かいタイツを実現することができる。
【図面の簡単な説明】
【０００８】
【図１】本発明の実施の形態に係るタイツの概略正面図である。
【図２】図１のタイツの構造を説明するためのタイツの編地についての模式的な断面図である。
【発明を実施するための形態】
【０００９】
以下、本発明の実施の形態に係るタイツ１を、図面に基づき詳しく説明する。このタイツ１は、ポリウレタン弾性糸の芯糸に捲糸を巻着させたカバリング糸を用いてゾッキ編みしたタイツである。
図１に、本実施の形態に係るタイツ１の概略正面図を示す。このタイツ１は、通常のパンティストッキング等の下半身用衣類と同じく、腹部および臀部を被覆するパンティ部３と、脚を被覆するレッグ部２とを備えるものである。このタイツ１は、筒状に編成された１対の編地を用い、パンティ部３に相当する部分に切れ目を入れて裁断縁どうしをつき合わせて股部４を縫着して一体化することにより製造される。また、足部の爪先部は周知の手段により、袋状に縫着することにより製造される。
【００１０】
なお、本発明において、対象をタイツとしているが、部分的にその機能を備えたスパッツ等を含むことは上述した通りである。
本実施の形態に係るタイツ１を構成する編地１００について、編地１００についての模式的な断面図である図２を参照して以下において詳しく説明する。
この図２に示すように、このタイツ１を構成する編地１００は、ポリウレタン弾性糸の芯糸に捲糸を巻着させたカバリング糸を用いてゾッキ編みした３層構造を備える。この３層構造として、表生地を構成する第１層目の編地１１０は、捲糸がナイロン糸のカバリング糸（ＳＣＹ）を用いてゾッキ編みで編成され、肌当接側である裏生地を構成する第３層目の編地は、捲糸がポリエステル糸のカバリング糸（ＳＣＹ）を用いてゾッキ編みで編成され、これらのナイロンＳＣＹゾッキ編みで編成された第１層目の編地１１０とポリエステルＳＣＹゾッキ編みで編成された第３層目の編地１３０とは細い繊度のウレタン糸で連結されており、この連結層としての第２層１２０を備える。このような３層構造の編地の製造方法については特に限定されるものではなく、特殊な編機により製造することが考えられる。さらに、肌当接側である第３層目の編地１３０を毛羽立たせる起毛加工を施しており、多数の毛羽１３２を備えたスエード調であることを特徴とする。
【００１１】
このように、表生地を構成する第１層目の編地１１０を捲糸がナイロン糸のカバリング糸を用いてゾッキ編みしているので滑らかであって、かつ、裏生地を構成する第３層目の編地１３０を捲糸がポリエステル糸のカバリング糸を用いてゾッキ編みして起毛加工してスエード調であるので柔らかく暖かい。
ここで、カバリング糸は、芯糸としてポリウレタン弾性糸を用い、捲糸としてナイロン糸（第１層の編地１１０）またはポリエステル糸（第３層の編地１３０）を用いている。芯糸であるポリウレタン弾性糸は、エーテル結合を持つエーテルタイプであってもエステル結合を持つエステルタイプであっても構わない。その太さは、パワー（緊縛力）が強すぎることなく最適なパワーとなる範囲のものであれば特に限定されない。また、フィラメント数はモノフィラメントおよびマルチフィラメントのいずれでもよい。また、ポリウレタン弾性糸に被覆する捲糸であるナイロン糸もポリエステル糸も、特に限定されるものではない。
【００１２】
本実施の形態に係るタイツ１における編糸であるカバリング糸は、その芯糸であるポリウレタン弾性糸は通常のタイツやストッキングに用いられるものであって、カバリング糸の捲糸として第１層の編地１１０はナイロン糸を採用し、肌当接側の第３層の編地１３０はポリエステル糸を採用している点が特徴である。さらに、肌当接側の第３層の編地１３０を毛羽立たせるように加工している点が特徴である。
【００１３】
この毛羽立たせるように表面加工方法の例としては、起毛加工がある。起毛加工は、起毛機等を用いてタイツ１の第３層の編地１３０の肌当接側の編地表面を毛羽立たせる。タイツ１の肌当接側の編地表面の柔らかく、かつ、暖かい肌触りとするための加工であれば、本発明は起毛加工に限定されるものではない。
以上のようにして、本実施の形態に係るタイツによると、
（１）ポリウレタン弾性糸の芯糸に捲糸を巻着させたカバリング糸を用いてゾッキ編みし
たタイツにおいて、表生地をポリウレタン弾性糸を芯糸としてナイロン糸を巻き付けたカバリング糸で編成し、肌当接側である裏生地をポリウレタン弾性糸を芯糸としてポリエステル糸を巻き付けたカバリング糸で編成し、
（２）これらの表生地と裏生地とを細い繊度のウレタン糸で連結し、
（３）表面加工として、タイツ１の肌当接側を毛羽立たせる加工したこと
により、表生地は滑らかであって、かつ、裏生地は柔らかく暖かい。その結果、カバリング糸を用いた３重構造の表面が滑らかで（肌当接側の）裏面が柔らかく暖かいタイツを提供することができる。
【００１４】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
たとえば、捲糸が表生地がナイロンで裏生地がポリエステルであることおよびゾッキ編みであることを除いて、カバリング糸はＳＣＹではなくＤＣＹであっても構わないし、芯糸および捲糸の種類（組成、太さ等）も限定されるものではない。
【産業上の利用可能性】
【００１５】
本発明は、タイツに好適であり、カバリング糸を用いた３重構造の暖かいタイツに特に好適である。
【符号の説明】
【００１６】
１  タイツ
２  レッグ部
３  パンティ部
４  股部
１００  編地（３重編地）
１１０  第１層の編地（ナイロン捲糸カバリング糸で編成）
１２０  第２層（細い繊度のウレタン糸）
１３０  第３層の編地（ポリエステル捲糸カバリング糸で編成）
１３２  毛羽
【図１】
2020133060.tif 000003
【図２】
2020133060.tif 000004